(57)【要約】【課題】  特許文献１に開示されているサムネイルの表示方法は、一のメディアドライブについての表示方法であり、複数のメディアドライブを有する場合の表示方法については何ら開示されていない。また特許文献２に開示されているサムネイルの表示方法は、サムネイル一覧画面の表示が、一のメディアドライブに挿入されている記録媒体についてのものである。そのため、複数のメディアドライブに挿入されている記録媒体のすべてについて同時に記録媒体の内容を確認することができない。【解決手段】  本発明は、上記課題に鑑みなされたものである。  第一の発明は、複数のメディアドライブと、メディアドライブのそれぞれからコンテンツの管理情報を取得する管理情報取得部と、取得した管理情報を同時に表示する表示部と、を有するメディアドライブ装置に関する。【選択図】  図１
2007058985.tif 000002
【特許請求の範囲】
【請求項１】
複数のメディアドライブと、
メディアドライブのそれぞれからコンテンツの管理情報を取得する管理情報取得部と、
取得した管理情報を同時に表示する表示部と、
を有するメディアドライブ装置。
【請求項２】
管理情報取得部は、
管理情報としてコンテンツの要約情報を取得する要約情報取得手段を有する請求項１に記載のメディアドライブ装置。
【請求項３】
要約情報取得手段は、
要約情報としてコンテンツのサムネイルを取得するサムネイル取得器を有する請求項２に記載のメディアドライブ装置。
【請求項４】
管理情報取得部は、
管理情報としてコンテンツの著作権管理情報を取得する著作権管理情報取得手段を有する請求項２又は３に記載のメディアドライブ装置。
【請求項５】
表示部は、管理情報をメディアドライブごとに表示するドライブ別表示手段を有する請求項１から４のいずれか一に記載のメディアドライブ装置。
【請求項６】
表示部は、サムネイルの表示態様を著作権管理情報により異なる態様で表示する著作権管理情報依存表示手段を有する請求項４に記載のメディアドライブ装置のうち請求項３に従属するメディアドライブ装置。
【請求項７】
表示部に表示の要約情報のグラフィック操作をするためのグラフィック操作部と、
グラフィック操作部での操作に応じてコンテンツに対する制御をするための制御部と、
を有する請求項２から６のいずれか一に記載のメディアドライブ装置。
【請求項８】
前記制御部は、コピーのためのコピー手段、削除のための削除手段、移動のための移動手段、通常再生のための通常再生手段、特殊再生のための特殊再生手段、再生停止のための再生停止手段、アーカイブのためのアーカイブ手段、外部送受信のための外部送受信手段、結合分離のための結合分離手段、メディア排出のためのメディア排出手段、メディア挿入のためのメディア挿入手段、著作権情報付加のための著作権情報付加手段のいずれか一以上を含む請求項７に記載のメディアドライブ装置。
【請求項９】
複数のメディアドライブは、異なる種類のメディアを駆動するメディアドライブである請求項１から８のいずれか一に記載のメディアドライブ装置。
【請求項１０】
複数のメディアドライブは、その全部又は一部が外部接続のメディアドライブである請求項１から９のいずれか一に記載のメディアドライブ装置。
【請求項１１】
複数のメディアドライブと、管理情報取得部と、表示部と、からなるメディアドライブ装置の動作方法であって、
メディアドライブのそれぞれからコンテンツの管理情報を取得する管理情報取得ステップと、
取得した管理情報を同時に表示する表示ステップと、
からなるメディアドライブ装置の動作方法。
【請求項１２】
前記管理情報取得ステップは、
管理情報としてコンテンツの要約情報を取得する要約情報取得ステップを有する請求項１１に記載のメディアドライブ装置の動作方法。
【請求項１３】
前記表示ステップに表示の要約情報のグラフィック操作をするためのグラフィック操作ステップと、
グラフィック操作ステップでの操作に応じてコンテンツに対する制御をするための制御ステップと、
を有する請求項１２に記載のメディアドライブ装置の動作方法。
【発明の詳細な説明】
【技術分野】
【０００１】
本発明は、複数のメディアドライブのコンテンツの管理情報を同時に表示することができるメディアドライブ装置に関する。
【背景技術】
【０００２】
従来、ＤＶＤ（Ｄｉｇｉｔａｌ  Ｖｅｒｓａｔｉｌｅ  Ｄｉｓｋ）などの記録媒体に記録されているコンテンツの一覧を表示するための方法として、サムネイルを利用する方法が用いられている。例えば、特許文献１には、単一のメディアドライブに格納されているメディアの画像のサムネイルを利用してファイルの一覧表示やファイル操作などを行う方法が開示されている。また特許文献２には、記録媒体を少なくとも２個備えたデジタル映像再生装置及びデジタル映像記録再生装置において、いずれかの記録媒体に格納されているコンテンツのサムネイル一覧を表示する方法が開示されている。
【特許文献１】特開２００５−４４１９
【特許文献２】特開２００４−２２２０６３
【発明の開示】
【発明が解決しようとする課題】
【０００３】
しかしながら、特許文献１に開示されているサムネイルの表示方法は、一のメディアドライブについての表示方法であり、複数のメディアドライブを有する場合の表示方法については何ら開示されていない。また特許文献２に開示されているサムネイルの表示方法は、サムネイル一覧画面の表示が、一のメディアドライブに挿入されている記録媒体についてのものである。そのため、複数のメディアドライブに挿入されている記録媒体のすべてについて同時に記録媒体の内容を確認することができない。
【課題を解決するための手段】
【０００４】
本発明は、上記課題に鑑みなされたものである。
【０００５】
第一の発明は、複数のメディアドライブと、メディアドライブのそれぞれからコンテンツの管理情報を取得する管理情報取得部と、取得した管理情報を同時に表示する表示部と、を有するメディアドライブ装置に関する。
【０００６】
第二の発明は、管理情報取得部は、管理情報としてコンテンツの要約情報を取得する要約情報取得手段を有する第一の発明に記載のメディアドライブ装置に関する。
【０００７】
第三の発明は、要約情報取得手段は、要約情報としてコンテンツのサムネイルを取得するサムネイル取得器を有する第二の発明に記載のメディアドライブ装置に関する。
【０００８】
第四の発明は、管理情報取得部は、管理情報としてコンテンツの著作権管理情報を取得する著作権管理情報取得手段を有する第二の発明又は第三の発明に記載のメディアドライブ装置に関する。
【０００９】
第五の発明は、表示部は、管理情報をメディアドライブごとに表示するドライブ別表示手段を有する第一の発明から第四の発明のいずれか一に記載のメディアドライブ装置に関する。
【００１０】
第六の発明は、表示部は、サムネイルの表示態様を著作権管理情報により異なる態様で表示する著作権管理情報依存表示手段を有する第四の発明に記載のメディアドライブ装置のうち第三の発明に従属するメディアドライブ装置に関する。
【００１１】
第七の発明は、表示部に表示の要約情報のグラフィック操作をするためのグラフィック操作部と、グラフィック操作部での操作に応じてコンテンツに対する制御をするための制御部と、を有する第二の発明から第六の発明のいずれか一に記載のメディアドライブ装置に関する。
【００１２】
第八の発明は、前記制御部は、コピーのためのコピー手段、削除のための削除手段、移動のための移動手段、通常再生のための通常再生手段、特殊再生のための特殊再生手段、再生停止のための再生停止手段、アーカイブのためのアーカイブ手段、外部送受信のための外部送受信手段、結合分離のための結合分離手段、メディア排出のためのメディア排出手段、メディア挿入のためのメディア挿入手段、著作権情報付加のための著作権情報付加手段のいずれか一以上を含む第七の発明に記載のメディアドライブ装置に関する。
【００１３】
第九の発明は、複数のメディアドライブは、異なる種類のメディアを駆動するメディアドライブである第一の発明から第八の発明のいずれか一に記載のメディアドライブ装置に関する。
【００１４】
第十の発明は、複数のメディアドライブは、その全部又は一部が外部接続のメディアドライブである第一の発明から第九の発明のいずれか一に記載のメディアドライブ装置に関する。
【発明の効果】
【００１５】
本発明によれば、複数のメディアドライブのそれぞれからコンテンツの管理情報（要約情報、サムネイル情報、著作権情報などを含む）を取得し、その管理情報を同時に表示することができる。
【発明を実施するための最良の形態】
【００１６】
以下に本件発明の実施形態を説明する。実施形態と、請求項との関係はおおむね次のようなものである。
実施形態１は、主に、請求項１、請求項９、請求項１０、請求項１１などについて説明している。
実施形態２は、主に、請求項２、請求項１２などについて説明している。
実施形態３は、主に、請求項３について説明している。
実施形態４は、主に、請求項４について説明している。
実施形態５は、主に、請求項５について説明している。
実施形態６は、主に、請求項６について説明している。
実施形態７は、主に、請求項７、請求項８、請求項１３などについて説明している。
【００１７】
なお、以下に記載する各機能ブロックは、ハードウェア、又はメモリ上に展開しハードウェアを制御することでその作用が得られるソフトウェア、又はハードウェア及びソフトウェアの両方として実現され得る。具体的には、コンピュータを利用するものであれば、ＣＰＵやメモリ、ハードディスクドライブ、ＣＤ−ＲＯＭやＤＶＤ−ＲＯＭなどの読取ドライブ、各種通信用の送受信ポート、インターフェース、その他の周辺装置などのハードウェア構成部や、それらハードウェアを制御するためのドライバプログラムやその他アプリケーションプログラムなどが挙げられる。
【００１８】
また、この発明は装置またはシステムとして実現できるのみでなく、方法としても実現可能である。また、このような発明の一部をソフトウェアとして構成することができることもできる。さらに、そのようなソフトウェアをコンピュータに実行させるために用いるソフトウェア製品、及び同製品を記録媒体に固定した記録媒体も、当然にこの発明の技術的な範囲に含まれる。（本明細書の全体を通じて同様である。）
【００１９】
以下に、図を用いて本発明の実施の形態を説明する。なお、本発明はこれら実施の形態に何ら限定されるものではなく、その要旨を逸脱しない範囲において、種々なる態様で実施しうる。
【００２０】
<<実施形態１>>
以下に、実施形態１について説明する。
<実施形態１の概念>
以下に本実施形態の概念について説明する。本実施形態のメディアドライブ装置は、複数のメディアドライブのそれぞれからコンテンツの管理情報を取得し、その管理情報を同時に表示することができる点に特徴がある。
【００２１】
<構成要件の明示>
以下に、本実施形態の構成要件を明示する。
図１は、本実施形態の機能ブロックの一例を示す図である。メディアドライブ装置０１００は、複数のメディアドライブ０１０１と、管理情報取得部０１０２と、表示部０１０３と、からなる。
【００２２】
<構成要件の説明>
以下に、本実施形態の構成要件について説明をする。
（複数のメディアドライブ）
「複数のメディアドライブ」とは、二以上のメディアドライブのことをいう。ここで「メディアドライブ」には、一例として、メディア（記録媒体などともいう）の物理仕様の違いによって、ＨＤ（Ｈａｒｄ  Ｄｉｓｋ）ドライブ、ＤＶＤ（Ｄｉｇｉｔａｌ  Ｖｅｒｓａｔｉｌｅ  Ｄｉｓｋ）、ＢＤ（Ｂｌｕ−ｒａｙ  Ｄｉｓｋ）ドライブなどが挙げられる。
【００２３】
以下、メディアについて簡単に説明する。一般的に、メディアをメディアドライブ装置で扱い、映像情報や音声情報を再生するなどの機能、動作を実現するためには、大きく三つの層の働きが必要とされる。これらをそれぞれ物理層、ファイルシステム層（論理層ともいう）、アプリケーション層という。
【００２４】
物理層は、メディアのディスク形状、セクタ構造、変調方式など物理的な部分を定めたものであり、メディアごとに物理仕様（物理規格、物理フォーマットともいう）として決められる。ファイルシステム層は、メディアの物理特性の違いを吸収してデータ空間とファイル単位でのデータ管理構造をアプリケーション層に提供する。メディアへの記録データあるいはメディアからの再生データをファイルとして扱うようにメディアの使用方法が決められており、論理仕様（論理規格、論理フォーマット、ファイルフォーマットともいう）と呼ばれる。アプリケーション層は、映像・音声コンテンツなどのアプリケーションを楽しむためのデータ構造がファイル単位でアプリケーション仕様（アプリケーション規格ともいう）として決められる。
【００２５】
複数のメディアドライブは、複数のメディアから取得したコンテンツ情報やその管理情報を、管理情報取得部に出力する。
【００２６】
（管理情報取得部）
「管理情報取得部」は、メディアドライブのそれぞれからコンテンツの管理情報を取得するように構成されている。ここで「管理情報」とは、メディアに格納されているコンテンツを管理するための情報のことをいう。コンテンツそのものを構成する情報とは別に管理をもっぱらするための情報としてメディアに記録されているものであってもよいし、コンテンツそのものを構成する情報の中から必要な情報を抜き出したものであってもよい。管理情報は、主に、上述のアプリケーション層に属する管理情報のことをいうが、物理層、ファイルシステム層に属する管理情報を含んでいてもよい。管理情報は、主に、上述のアプリケーション層に属する管理情報のことをいうが、物理層、ファイルシステム層に属する管理情報を含んでいてもよい。管理情報には、一例として、コンテンツのタイトル、記録モード（例えば通常モードの記録であるとか、３倍モードの記録であるとか）、画質、音質、記録時間、記録日時、コピー保護情報（例えば、コピーフリー、１回だけコピー可、コピー不可といったコピー世代管理情報、デジタルコピーの枚数制限）などの情報が挙げられる。
【００２７】
取得された管理情報は、表示部に出力されるなどして利用される。
【００２８】
（表示部）
「表示部」とは、取得した管理情報を同時に表示するように構成されている。ここで「同時に」とは、複数のメディアドライブが取得した当該複数のメディアに含まれる各メディアの管理情報を１画面中に表示するという意味である。なお、前記「１画面中」には、画面をスクロールして表示できる場合が含まれていてもよい。また、複数のメディアドライブが取得した管理情報をすべて同時に表示してもよいが、本発明は、それに限定されるものではない。例えば３つ以上のメディアドライブがある場合には、その中の１つのメディアドライブを表示しないというように、その一部を同時に表示しないように構成してもよい。これは、メディアドライブの数が多い場合には有効である。なぜならば表示部に表示すべきメディアドライブの管理情報の表示を大きくすることができるからである。なお、表示部には、一例として、パソコン用やテレビジョン用に使用されるＣＲＴディスプレイ、液晶ディスプレイ、有機ＥＬ（Ｅｌｅｃｔｒｏ  Ｌｕｍｉｎｅｓｃｅｎｃｅ）ディスプレイ、プラズマディスプレイなどが挙げられる。
【００２９】
図２９は、表示部が、ディスプレイ等に表示した画面の概略の一例を示す図である。ディスプレイの画面２９０１には、メディア：ＤＶＤとメディア：ＢＤのコンテンツの管理情報が同時に表示されている。管理情報４、８、７、１１、１２、１３はメディア：ＤＶＤの管理情報であり、管理情報５、６、１４、１５、１６はメディア：ＢＤの管理情報である。
【００３０】
<処理の流れ>
以下に、本実施形態の処理の流れについて説明する。なお、以下に示す処理の流れは、方法、計算機に実行させるためのプログラム、またはそのプログラムが記録された読み取り可能な記録媒体として実施されうる（これは、本明細書のその他の処理の流れについても同様である）。
図２は、本実施形態の処理の流れの一例を示す図である。
まず、本実施形態のメディアドライブ装置において、管理情報取得ステップは、メディアドライブのそれぞれからコンテンツの管理情報を取得する（ステップＳ０２０１）。
次に、本実施形態のメディアドライブ装置において、表示ステップは、取得した管理情報を同時に表示する（ステップＳ０２０２）。
【００３１】
（実施例１）
以下に、本実施形態の実施例１について説明する。
【００３２】
<具体的機能ブロック図>
図３は、本実施例の具体的機能ブロックの一例を示す図である。
まず、管理情報取得部０３０２は、メディアドライブ１（０３０１）、メディアドライブ２（０３０４）のそれぞれからコンテンツの管理情報１、２を取得する。
次に、表示部０３０３は、取得したコンテンツの管理情報１、２（タイトル１、タイトル２、タイトル３、タイトル４、タイトル５、タイトル６）を同時に表示する。
【００３３】
<ハードウェア構成図>
図１８は、本実施例のハードウェア構成の一例を示す概略図である。この図を利用してコンテンツの管理情報の表示部への表示処理におけるそれぞれのハードウェア構成部の働きについて説明する。この図にあるように、メディアドライブ装置１８００は、複数のメディアドライブである「メディアドライブ１」（１８０１）、「メディアドライブ２」（１８０４）を備えている。また、メディアドライブ装置は、管理情報取得部１８０２である「ＣＰＵ（中央処理装置）」（１８０５）と、「主メモリ」（１８０６）と、「記憶装置」（１８０７）と、「内蔵時計」（１８０８）と、「ストリーム管理手段」（１８０９）と、「管理情報生成・再生手段」（１８１０）と、「映像デコード器」（１８１１）と、「リスト一覧生成手段」（１８１２）と、を備えている。また、メディアドライブ装置は、表示部１８０３である「映像表示処理手段」（１８１３）と、「ディスプレイ」とも備えている。そして、それらが「システムバス」（１８１４）などのデータ通信経路によって相互に接続され、情報の送受信や処理を行う。
【００３４】
また、記憶装置は、ＣＰＵにて実行される各種プログラム（例えば管理情報取得用プログラム）や、メディアドライブ１、２から取得したコンテンツの管理情報１、２などを記憶している。またＣＰＵは、記憶装置に記憶されているプログラムを実行するために読み出す。それと同時に主メモリは、そのプログラムの作業領域でもあるワーク領域を提供する。また、主メモリや記憶装置にはそれぞれメモリアドレスが割り当てられており、ＣＰＵで実行されるプログラムは、そのメモリアドレスを特定しアクセスすることで相互にデータのやり取りを行い、処理を行うことが可能になっている。また内蔵時計は、現在時間を計時し出力する機能を備える。また、ストリーム管理手段はＣＰＵからの指令により、メディアドライブ１、２からのコンテンツ情報（管理情報を含む）を読み出したり、メディアドライブ１、２に書き込んだりする処理を行う。また、映像デコード器は、ストリーム管理手段が読み込んだコンテンツ情報をデコードし、管理情報を生成・再生できるようにする。管理情報生成・再生手段は映像デコード器がデコードした情報に基づいてコンテンツの管理情報を生成したり、再生したりする。リスト一覧生成手段は、管理情報生成・再生手段が生成・再生した管理情報に基づいて管理情報の一覧を生成する。映像表示処理手段は、リスト一覧生成手段が生成した管理情報の一覧をディスプレイに適合する形式に変換する。ディスプレイは、映像表示処理手段が出力したメディアドライブ１、２からの管理情報１、２を同時に表示する。以上が各ハードウェア構成の機能である。なお、管理情報生成・再生手段、映像デコード器、リスト一覧生成手段と、映像表示処理手段はソフトウェアによって構成されていてもよい。
【００３５】
以下に、メディアドライブ１、２からそれぞれ取得した管理情報１、２をディスプレイに同時に表示する場合について説明する。まずＣＰＵからの管理情報取得命令により、記憶装置に記憶されている管理情報取得用のプログラムが主メモリのワーク領域に展開され、ストリーム管理手段にメディアドライブ１、２からコンテンツ情報を取得するように起動がかけられる。起動がかけられたストリーム管理手段は、メディアドライブ１、２からそれぞれコンテンツ情報１、２を取得し、記憶装置に書き込む。次に、ＣＰＵからの管理情報生成命令により、管理情報生成・再生手段は、上記コンテンツ情報１、２を映像デコード器でデコードして、管理情報１、２（例えばタイトル１、２など）を生成し、記憶装置に書き戻すとともに、上記のように一時的に主メモリなどに格納する。次にリスト一覧生成手段は、主メモリのデータ領域に格納されている管理情報１、２に基づいて管理情報１、２のリスト一覧を生成し、保持する。保持されたリスト一覧は、映像表示処理手段に出力される。映像表示処理手段は、リスト一覧をディスプレイに出力する。ディスプレイは、管理情報１、２のリスト一覧を表示する。
【００３６】
<実施形態１の効果の簡単な説明>
本実施形態のメディアドライブ装置によれば、複数のメディアドライブのそれぞれからコンテンツの管理情報を取得し、その管理情報を同時に表示することができる。
【００３７】
<<実施形態２>>
以下に、実施形態２について説明する。
<実施形態２の概念>
以下に本実施形態の概念について説明する。本実施形態のメディアドライブ装置は、管理情報取得部が、管理情報としてコンテンツの要約情報を取得する要約情報取得手段を有する実施形態１に記載のメディアドライブ装置に関する。
【００３８】
<構成要件の明示>
以下に、本実施形態の構成要件を明示する。
図４は、本実施形態の機能ブロックの一例を示す図である。メディアドライブ装置０４００は、複数のメディアドライブ０４０１と、管理情報取得部０４０２と、表示部０４０３と、からなる。また、管理情報取得部は、要約情報取得手段０４０４を有する。
【００３９】
<構成要件の説明>
以下に、本実施形態の構成要件について説明をする。
（複数のメディアドライブ）、（表示部）
「複数のメディアドライブ」、「表示部」は、実施形態１と同様であるので説明を省略する。
【００４０】
（管理情報取得部）
「管理情報取得部」は、要約情報取得手段を有するように構成されている。それ以外の点については、実施形態１と同様であるので説明を省略する。
（要約情報取得手段）
「要約情報取得手段」は、管理情報としてコンテンツの要約情報を取得するように構成されている。ここで「要約情報」とは、コンテンツの内容を要約する情報のことをいう。要約情報には、一例として、コンテンツのタイトル、あらすじ、サムネイルなどの情報が挙げられる。なお、要約情報が存在している場合には、要約情報が格納されているアドレスにアクセスすることにより取得される。また、要約情報が存在していない場合には、管理情報である要約情報を生成・取得することもできる。例えばコンテンツのなかで交わされる会話を文字変換して、文字変換した文章を構文解析などして要約して生成してもよい。要約情報は、表示部に出力されるなどして利用される。
【００４１】
<処理の流れ>
以下に、本実施形態の処理の流れについて説明する。
図５は、本実施形態の処理の流れの一例を示す図である。
まず、本実施形態のメディアドライブ装置において、管理情報取得ステップは、メディアドライブのそれぞれからコンテンツの管理情報を取得する（ステップＳ０５０１）。
次に、本実施形態のメディアドライブ装置において、要約情報取得ステップは、管理情報としてコンテンツの要約情報を取得する（ステップＳ０５０２）。
次に、本実施形態のメディアドライブ装置において、表示ステップは、取得した要約情報を同時に表示する（ステップＳ０５０３）。
【００４２】
（実施例２）
以下に、本実施形態の実施例２について説明する。
【００４３】
<具体的機能ブロック図>
図６は、本実施例の具体的機能ブロックの一例を示す図である。
まず、管理情報取得部０６０２は、メディアドライブ１（０６０１）、メディアドライブ２（０６０５）のそれぞれからコンテンツの管理約情報１、２を取得する。
次に、要約情報取得手段０６０４は、管理情報としてコンテンツの要約情報１、２を取得する。
次に、表示部０６０３は、取得したコンテンツの要約情報１、２（タイトル１：あらすじ１、タイトル２：あらすじ２、タイトル３：あらすじ３、タイトル４：あらすじ４、タイトル５：あらすじ５、タイトル６：あらすじ６）を同時に表示する。
【００４４】
<ハードウェア構成図>
図１９は、本実施例のハードウェア構成の一例を示す概略図である。この図を利用してコンテンツの管理情報の表示部への表示処理におけるそれぞれのハードウェア構成部の働きについて説明する。この図にあるように、メディアドライブ装置１９００は、複数のメディアドライブである「メディアドライブ１」（１９０１）、「メディアドライブ２」（１９０５）を備えている。また、メディアドライブ装置は、管理情報取得部１９０２である「ＣＰＵ（中央処理装置）」（１９０６）と、「主メモリ」（１９０７）と、「記憶装置」（１９０８）と、「内蔵時計」（１９０９）と、「ストリーム管理手段」（１９１０）と、「管理情報生成・再生手段」（１９１１）と、「映像デコード器」（１９１２）と、「リスト一覧生成手段」（１９１３）と、「要約情報取得手段」（１９０４）と、を備えている。また、メディアドライブ装置は、表示部１９０３である「映像表示処理手段」（１９１４）と、「ディスプレイ」とも備えている。そして、それらが「システムバス」（１９１５）などのデータ通信経路によって相互に接続され、情報の送受信や処理を行う。
【００４５】
要約情報取得手段は、管理情報生成・再生手段が生成した管理情報に基づいて、コンテンツの要約情報を取得する。リスト一覧生成手段は、要約情報取得手段が取得した要約情報に基づいて要約情報の一覧を生成する。映像表示処理手段は、リスト一覧生成手段が生成した要約情報の一覧をディスプレイに適合する形式に変換する。ディスプレイは、映像表示処理手段が出力したメディアドライブ１、２からの要約情報１、２を同時に表示する。それ以外の点は、実施例１のハードウェア構成と同様であるので説明を省略する。以上が各ハードウェア構成の機能である。なお、管理情報生成・再生手段、映像デコード器、リスト一覧生成手段と、映像表示処理手段、要約情報取得手段はソフトウェアによって構成されていてもよい。
【００４６】
以下に、メディアドライブ１、２からそれぞれ取得した要約情報１、２をディスプレイに同時に表示する場合について説明する。まずＣＰＵからの管理情報取得命令により、記憶装置に記憶されている管理情報取得用のプログラムが主メモリのワーク領域に展開され、ストリーム管理手段にメディアドライブ１、２からコンテンツ情報を取得するように起動がかけられる。起動がかけられたストリーム管理手段は、メディアドライブ１、２からそれぞれコンテンツ情報１、２を取得し、記憶装置に書き込む。次に、ＣＰＵからの管理情報生成命令により、管理情報生成・再生手段は、上記コンテンツ情報１、２を映像デコード器でデコードして、管理情報を生成する。要約情報取得手段は、管理情報として要約情報１、２（例えばタイトル１：あらすじ１、タイトル２：あらすじ２など）を取得し、記憶装置に書き戻すとともに、上記のように一時的に主メモリなどに格納する。次にリスト一覧生成手段は、主メモリのデータ領域に格納されている要約情報１、２に基づいて要約情報１、２のリスト一覧を生成し、保持する。保持されたリスト一覧は、映像表示処理手段に出力される。映像表示処理手段は、リスト一覧をディスプレイに出力する。ディスプレイは、要約情報１、２のリスト一覧を表示する。
【００４７】
<実施形態２の効果の簡単な説明>
本実施形態のメディアドライブ装置によれば、複数のメディアドライブのそれぞれからコンテンツの管理情報を取得し、その管理情報から要約情報を取得して要約情報を同時に表示することができる。
【００４８】
<<実施形態３>>
以下に、実施形態３について説明する。
<実施形態３の概念>
以下に本実施形態の概念について説明する。本実施形態のメディアドライブ装置は、要約情報取得手段が、要約情報としてコンテンツのサムネイルを取得するサムネイル取得器を有する実施形態２に記載のメディアドライブ装置に関する。
【００４９】
<構成要件の明示>
以下に、本実施形態の構成要件を明示する。
図７は、本実施形態の機能ブロックの一例を示す図である。メディアドライブ装置０７００は、複数のメディアドライブ０７０１と、管理情報取得部０７０２と、表示部０７０３と、からなる。また、管理情報取得部は、要約情報取得手段０７０４を有する。さらに、要約情報取得手段は、サムネイル取得器０７０５を有する。
【００５０】
<構成要件の説明>
以下に、本実施形態の構成要件について説明をする。
（複数のメディアドライブ）、（管理情報取得部）、（表示部）
「複数のメディアドライブ」、「管理情報取得部」、「表示部」は、実施形態２と同様であるので説明を省略する。
【００５１】
（要約情報取得手段）
「要約情報取得手段」は、サムネイル取得器を有するように構成されている。それ以外の点については、実施形態２と同様であるので説明を省略する。
（サムネイル取得器）
「サムネイル取得器」は、要約情報としてコンテンツのサムネイルを取得するように構成されている。ここで「サムネイル」とは、多数の画像を一覧表示するために縮小された画像のことをいう。本来は「親指（ｔｈｕｍｂ）の爪（ｎａｉｌ）」という意味を有している。画像ファイルが増えてくるとタイトルだけでは判別しづらいため、大雑把に絵柄でその内容が分かるサムネイルの存在は有効である。なおサムネイルは、存在している場合には、サムネイルが格納されているアドレスにアクセスすることにより取得される。また、サムネイルが存在していない場合には、管理情報であるサムネイルを生成・取得することもできる。例えば、管理情報（例えば、タイトル１）からそのコンテンツの情報をチャプターごとに読み出してサムネイルを生成したり、時間ごと（例えば１０分おき）にそのコンテンツの情報を読み出して、サムネイルを生成したりすることにより、その管理情報（タイトル１）に対応するサムネイルを取得することができる。サムネイルは、表示部に出力されるなどして利用される。
【００５２】
<処理の流れ>
本実施形態の処理の流れについては、実施形態２と同様であるので説明を省略する。
【００５３】
（実施例３）
以下に、本実施形態の実施例３について説明する。
【００５４】
<具体的機能ブロック図>
図８は、本実施例の具体的機能ブロックの一例を示す図である。
まず、管理情報取得部０８０２は、メディアドライブ１（０８０１）、メディアドライブ２（０８０６）のそれぞれからコンテンツの管理約情報１、２を取得する。
次に、要約情報取得手段０８０４のサムネイル取得器０８０５は、要約情報としてコンテンツのサムネイル１、２を取得する。
次に、表示部０８０３は、取得したコンテンツのサムネイル１、２（サムネイルＡ、サムネイルＢ、サムネイルＣ、サムネイルＤ）を同時に表示する。
【００５５】
<ハードウェア構成図>
図２０は、本実施例のハードウェア構成の一例を示す概略図である。この図を利用してコンテンツの管理情報の表示部への表示処理におけるそれぞれのハードウェア構成部の働きについて説明する。この図にあるように、メディアドライブ装置２０００は、複数のメディアドライブである「メディアドライブ１」（２００１）、「メディアドライブ２」（２００６）を備えている。また、メディアドライブ装置は、管理情報取得部２００２である「ＣＰＵ（中央処理装置）」（２００７）と、「主メモリ」（２００８）と、「記憶装置」（２００９）と、「内蔵時計」（２０１０）と、「ストリーム管理手段」（２０１１）と、「管理情報生成・再生手段」（２０１２）と、「映像デコード器」（２０１３）と、「リスト一覧生成手段」（２０１４）と、「要約情報取得手段」（２００４）と、「サムネイル取得器」（２００５）と、を備えている。また、メディアドライブ装置は、表示部２００３である「映像表示処理手段」（２０１５）と、「ディスプレイ」とも備えている。そして、それらが「システムバス」（２０１６）などのデータ通信経路によって相互に接続され、情報の送受信や処理を行う。
【００５６】
サムネイル取得器は、要約情報取得手段が取得した要約情報に基づいてサムネイルを取得する。リスト一覧生成手段は、サムネイル取得器が取得したサムネイルに基づいてサムネイルの一覧を生成する。映像表示処理手段は、リスト一覧生成手段が生成したサムネイルの一覧をディスプレイに適合する形式に変換する。ディスプレイは、映像表示処理手段が出力したメディアドライブ１、２からのサムネイル１、２を同時に表示する。それ以外の点は、実施例２のハードウェア構成と同様であるので説明を省略する。以上が各ハードウェア構成の機能である。なお、管理情報生成・再生手段、映像デコード器、リスト一覧生成手段と、映像表示処理手段、要約情報取得手段、サムネイル取得器はソフトウェアによって構成されていてもよい。
【００５７】
以下に、メディアドライブ１、２からそれぞれ取得したサムネイル１、２をディスプレイに同時に表示する場合について説明する。まずＣＰＵからの管理情報取得命令により、記憶装置に記憶されている管理情報取得用のプログラムが主メモリのワーク領域に展開され、ストリーム管理手段にメディアドライブ１、２からコンテンツ情報を取得するように起動がかけられる。起動がかけられたストリーム管理手段は、メディアドライブ１、２からそれぞれコンテンツ情報１、２を取得し、記憶装置に書き込む。次に、ＣＰＵからの管理情報生成命令により、管理情報生成・再生手段は、上記コンテンツ情報１、２を映像デコード器でデコードして、管理情報を生成する。要約情報取得手段のサムネイル取得器は、管理情報としてサムネイル１、２（例えばサムネイルＡ、サムネイルＢなど）を取得し、記憶装置に書き戻すとともに、上記のように一時的に主メモリなどに格納する。次にリスト一覧生成手段は、主メモリのデータ領域に格納されているサムネイル１、２に基づいてサムネイル１、２のリスト一覧を生成し、保持する。保持されたリスト一覧は、映像表示処理手段に出力される。映像表示処理手段は、リスト一覧をディスプレイに出力する。ディスプレイは、サムネイル１、２のリスト一覧を表示する。
【００５８】
<実施形態３の効果の簡単な説明>
本実施形態のメディアドライブ装置によれば、複数のメディアドライブのそれぞれからコンテンツの管理情報を取得し、その管理情報からサムネイルを取得してサムネイルを同時に表示することができる。
【００５９】
<<実施形態４>>
以下に、実施形態４について説明する。
<実施形態４の概念>
以下に本実施形態の概念について説明する。本実施形態のメディアドライブ装置は、管理情報取得部が、管理情報としてコンテンツの著作権管理情報を取得する著作権管理情報取得手段を有する実施形態２又は３に記載のメディアドライブ装置に関する。
【００６０】
<構成要件の明示>
以下に、本実施形態の構成要件を明示する。
図９は、本実施形態の機能ブロックの一例を示す図である。メディアドライブ装置０９００は、複数のメディアドライブ０９０１と、管理情報取得部０９０２と、表示部０９０３と、からなる。また、管理情報取得部は、要約情報取得手段０９０４と、著作権管理情報取得手段０９０６と、を有する。さらに、要約情報取得手段は、サムネイル取得器０９０５を有する構成であってもよい。
【００６１】
<構成要件の説明>
以下に、本実施形態の構成要件について説明をする。
（複数のメディアドライブ）、（表示部）
「複数のメディアドライブ」、「表示部」は、実施形態２又は３と同様であるので説明を省略する。
【００６２】
（管理情報取得部）
「管理情報取得部」は、著作権管理情報取得手段を有するように構成されている。それ以外の点については、実施形態２又は３と同様であるので説明を省略する。
（著作権管理情報取得手段）
「著作権管理情報取得手段」は、管理情報としてコンテンツの著作権管理情報を取得するように構成されている。ここで「著作権管理情報」とは、コンテンツを作成した者の著作権を管理するための情報のことをいう。著作権管理情報には、一例として、コンテンツの著作権者名、著作年月日、コピー保護情報（例えば、コピーフリー、１回だけコピー可、コピー不可といったコピー世代管理情報、デジタルコピーの枚数制限）などが挙げられる。なお、著作権管理情報が存在している場合には、著作権管理情報が含まれている特定のアドレスにアクセスすることにより、著作権管理情報を取得することができる。取得された著作権管理情報は、表示部に出力されるなどして利用される。
【００６３】
図３０は、表示部が、ディスプレイ等に表示した画面の概略の一例を示す図である。ディスプレイの画面３００１には、メディア：ＤＶＤとメディア：ＢＤのコンテンツの管理情報が同時に表示されている。サムネイル４、８、７、１１、１２、１３は著作権者Ａであり、サムネイル５、６、１４、１５、１６は著作権者Ｂである。
【００６４】
<処理の流れ>
本実施形態の処理の流れについては、実施形態２又は３と同様であるので説明を省略する。
【００６５】
（実施例４）
以下に、本実施形態の実施例４について説明する。
【００６６】
<具体的機能ブロック図>
図１０は、本実施例の具体的機能ブロックの一例を示す図である。
まず、管理情報取得部１００２は、メディアドライブ１（１００１）、メディアドライブ２（１００７）のそれぞれからコンテンツの管理約情報１、２を取得する。
次に、要約情報取得手段１００４のサムネイル取得器１００５は、要約情報としてコンテンツのサムネイル１、２を取得する。
次に、著作権管理情報取得手段１００６は、管理情報としてコンテンツの著作権管理情報（著作権者１、著作権者２）を取得する
次に、表示部１００３は、取得したコンテンツのサムネイル１、２（サムネイルＡ、サムネイルＢ、サムネイルＣ、サムネイルＤ）、著作権管理情報（著作権者１、著作権者２）を同時に表示する。
【００６７】
<ハードウェア構成図>
図２１は、本実施例のハードウェア構成の一例を示す概略図である。この図を利用してコンテンツの管理情報の表示部への表示処理におけるそれぞれのハードウェア構成部の働きについて説明する。この図にあるように、メディアドライブ装置２１００は、複数のメディアドライブである「メディアドライブ１」（２１０１）、「メディアドライブ２」（２１０７）を備えている。また、メディアドライブ装置は、管理情報取得部２１０２である「ＣＰＵ（中央処理装置）」（２１０８）と、「主メモリ」（２１０９）と、「記憶装置」（２１１０）と、「内蔵時計」（２１１１）と、「ストリーム管理手段」（２１１２）と、「管理情報生成・再生手段」（２１１３）と、「映像デコード器」（２１１４）と、「リスト一覧生成手段」（２１１５）と、「要約情報取得手段」（２１０４）と、「サムネイル取得器」（２１０５）と、「著作権管理情報取得手段」（２１０６）と、を備えている。また、メディアドライブ装置は、表示部２１０３である「映像表示処理手段」（２１１６）と、「ディスプレイ」とも備えている。そして、それらが「システムバス」（２１１７）などのデータ通信経路によって相互に接続され、情報の送受信や処理を行う。
【００６８】
著作権管理情報取得手段は、管理情報生成・再生手段が生成した管理情報としてコンテンツの著作権管理情報を取得する。リスト一覧生成手段は、サムネイル取得器が取得したサムネイル及び著作権管理情報取得手段が取得した著作権管理情報に基づいてサムネイル及び著作権管理情報の一覧を生成する。映像表示処理手段は、リスト一覧生成手段が生成したサムネイル及び著作権管理情報の一覧をディスプレイに適合する形式に変換する。ディスプレイは、映像表示処理手段が出力したメディアドライブ１、２からのサムネイル１、２及び著作権管理情報（著作権者１、２）を同時に表示する。それ以外の点は、実施例２又は３のハードウェア構成と同様であるので説明を省略する。以上が各ハードウェア構成の機能である。なお、管理情報生成・再生手段、映像デコード器、リスト一覧生成手段と、映像表示処理手段、要約情報取得手段、サムネイル取得器、著作権管理情報取得手段はソフトウェアによって構成されていてもよい。
【００６９】
以下に、メディアドライブ１、２からそれぞれ取得したサムネイル１、２及び著作権管理情報（著作権者１、２）をディスプレイに同時に表示する場合について説明する。まずＣＰＵからの管理情報取得命令により、記憶装置に記憶されている管理情報取得用のプログラムが主メモリのワーク領域に展開され、ストリーム管理手段にメディアドライブ１、２からコンテンツ情報を取得するように起動がかけられる。起動がかけられたストリーム管理手段は、メディアドライブ１、２からそれぞれコンテンツ情報１、２を取得し、記憶装置に書き込む。次に、ＣＰＵからの管理情報生成命令により、管理情報生成・再生手段は、上記コンテンツ情報１、２を映像デコード器でデコードして、管理情報を生成する。要約情報取得手段のサムネイル取得器は、管理情報としてサムネイル１、２（例えばサムネイルＡ、サムネイルＢなど）を取得するとともに、著作権管理情報取得手段は、管理情報としてコンテンツの著作権管理情報を取得し、記憶装置に書き戻すとともに、上記のように一時的に主メモリなどに格納する。次にリスト一覧生成手段は、主メモリのデータ領域に格納されているサムネイル１、２及び著作権管理情報（著作権者１、２）に基づいてサムネイル１、２及び著作権管理情報（著作権者１、２）のリスト一覧を生成し、保持する。保持されたリスト一覧は、映像表示処理手段に出力される。映像表示処理手段は、リスト一覧をディスプレイに出力する。ディスプレイは、サムネイル１、２及び著作権管理情報（著作権者１、２）のリスト一覧を表示する。
【００７０】
<実施形態４の効果の簡単な説明>
本実施形態のメディアドライブ装置によれば、複数のメディアドライブのそれぞれからコンテンツの管理情報として著作権管理情報を取得してそれぞれの著作権管理情報を同時に表示することができる。
【００７１】
<<実施形態５>>
以下に、実施形態５について説明する。
<実施形態５の概念>
以下に本実施形態の概念について説明する。本実施形態のメディアドライブ装置は、表示部が、管理情報をメディアドライブごとに表示するドライブ別表示手段を有する実施形態１から４のいずれか一に記載のメディアドライブ装置に関する。
【００７２】
<構成要件の明示>
以下に、本実施形態の構成要件を明示する。
図１１は、本実施形態の機能ブロックの一例を示す図である。メディアドライブ装置１１００は、複数のメディアドライブ１１０１と、管理情報取得部１１０２と、表示部１１０３と、からなる。また、表示部は、ドライブ別表示手段１１０４を有する。また、管理情報取得部は、要約情報取得手段と、著作権管理情報取得手段と、を有する構成であってもよい。さらに、要約情報取得手段は、サムネイル取得器を有する構成であってもよい。
【００７３】
<構成要件の説明>
以下に、本実施形態の構成要件について説明をする。
（複数のメディアドライブ）、（管理情報取得部）
「複数のメディアドライブ」、「管理情報取得部」は、実施形態１から４のいずれか一と同様であるので説明を省略する。
【００７４】
（表示部）
「表示部」は、ドライブ別表示手段を有するように構成されている。それ以外の点については、実施形態１から４のいずれか一と同様であるので説明を省略する。
（ドライブ別表示手段）
「ドライブ別表示手段」は、管理情報をメディアドライブごとに表示するように構成されている。ここで「メディアドライブごとに」とは、それぞれの管理情報をメディアドライブごとにまとまりのある単位で、という意味である。ここで管理情報をドライブ別に表示する方法としては、一例として、以下のような方法が考えられる。例えば、まずメディアドライブごと（例えばメディアドライブ１、２）に割り付けられたＩＤ（例えばメディアドライブ１：ＩＤ００１、メディアドライブ２：ＩＤ００２）と、そのＩＤに対応するメディアドライブから取得した管理情報（例えば管理情報１、２）を対応付ける（例えばＩＤ００１：管理情報１、ＩＤ００２：管理情報２）。次に、対応付けられたＩＤに対応する管理情報の情報量に応じて（例えば管理情報１の情報量と管理情報２の情報量の比＝１：２）、表示部に表示する領域の大きさを決定する（例えば管理情報１の領域と管理情報２の領域の比＝１：２）。次に、それぞれのＩＤに割り付けられた領域に左上から下向きに管理情報を表示するような方法が考えられる。
【００７５】
図３１は、管理情報をメディアドライブごとに表示することを説明するための一例を示す図である。図３１には、ディスプレイ画面３１０１にメディア：ＤＶＤ（３１０２）のサムネイル４、５、６、７、８とメディア：ＢＤ（３１０３）のサムネイル１１、１２、１３、１４、１５、１６がドライブ別に表示されている。
【００７６】
<処理の流れ>
本実施形態の処理の流れについては、実施形態１から４のいずれか一と同様であるので説明を省略する。
【００７７】
（実施例５）
以下に、本実施形態の実施例５について説明する。
【００７８】
<具体的機能ブロック図>
図１２は、本実施例の具体的機能ブロックの一例を示す図である。
まず、管理情報取得部１２０２は、メディアドライブ１（１２０１）、メディアドライブ２（１２０４）のそれぞれからコンテンツの管理情報１、２を取得する。
次に、表示部１２０３のドライブ別表示手段１２０４は、取得したコンテンツの管理情報１、２をメディアドライブ１（タイトル１、タイトル２、タイトル３）とメディアドライブ２（タイトル４、タイトル５、タイトル６）にメディアドライブごとに同時に表示する。
【００７９】
<ハードウェア構成図>
図２２は、本実施例のハードウェア構成の一例を示す概略図である。この図を利用してコンテンツの管理情報の表示部への表示処理におけるそれぞれのハードウェア構成部の働きについて説明する。この図にあるように、メディアドライブ装置２２００は、複数のメディアドライブである「メディアドライブ１」（２２０１）、「メディアドライブ２」（２２０５）を備えている。また、メディアドライブ装置は、管理情報取得部２２０２である「ＣＰＵ（中央処理装置）」（２２０６）と、「主メモリ」（２２０７）と、「記憶装置」（２２０８）と、「内蔵時計」（２２０９）と、「ストリーム管理手段」（２２１０）と、「管理情報生成・再生手段」（２２１１）と、「映像デコード器」（２２１２）と、「リスト一覧生成手段」（２２１３）と、を備えている。また、メディアドライブ装置は、表示部２２０３である「映像表示処理手段」（２２１４）と、「ドライブ別表示手段」（２２０４）、「ディスプレイ」とも備えている。そして、それらが「システムバス」（２２１４）などのデータ通信経路によって相互に接続され、情報の送受信や処理を行う。
【００８０】
ディスプレイのドライブ別表示手段は、映像表示処理手段が出力したメディアドライブ１、２からの管理情報１、２をドライブ別に同時に表示する。それ以外の点は、実施例１から４のいずれか一のハードウェア構成と同様であるので説明を省略する。以上が各ハードウェア構成の機能である。なお、管理情報生成・再生手段、映像デコード器、リスト一覧生成手段と、映像表示処理手段、要約情報取得手段、サムネイル取得器、著作権管理情報取得手段はソフトウェアによって構成されていてもよい。
【００８１】
以下に、メディアドライブ１、２からそれぞれ取得した管理情報１、２をディスプレイに同時に表示する場合について説明する。まずＣＰＵからの管理情報取得命令により、記憶装置に記憶されている管理情報取得用のプログラムが主メモリのワーク領域に展開され、ストリーム管理手段にメディアドライブ１、２からコンテンツ情報を取得するように起動がかけられる。起動がかけられたストリーム管理手段は、メディアドライブ１、２からそれぞれコンテンツ情報１、２を取得し、記憶装置に書き込む。次に、ＣＰＵからの管理情報生成命令により、管理情報生成・再生手段は、上記コンテンツ情報１、２を映像デコード器でデコードして、管理情報１、２（例えばタイトル１、２など）を生成し、記憶装置に書き戻すとともに、上記のように一時的に主メモリなどに格納する。次にリスト一覧生成手段は、主メモリのデータ領域に格納されている管理情報１、２に基づいて管理情報１、２のリスト一覧を生成し、保持する。保持されたリスト一覧は、映像表示処理手段に出力される。映像表示処理手段は、リスト一覧をディスプレイに出力する。ディスプレイのドライブ別表示手段は、管理情報１、２をドライブ別に同時に表示する。
【００８２】
<実施形態５の効果の簡単な説明>
本実施形態のメディアドライブ装置によれば、複数のメディアドライブのそれぞれからコンテンツの管理情報を取得し、その管理情報をドライブ別に同時に表示することができる。
【００８３】
<<実施形態６>>
以下に、実施形態６について説明する。
<実施形態６の概念>
以下に本実施形態の概念について説明する。本実施形態のメディアドライブ装置は、表示部が、サムネイルの表示態様を著作権管理情報により異なる態様で表示する著作権管理情報依存表示手段を有する請求項４に記載のメディアドライブ装置のうち請求項３に従属するメディアドライブ装置に関する。
【００８４】
<構成要件の明示>
以下に、本実施形態の構成要件を明示する。
図１３は、本実施形態の機能ブロックの一例を示す図である。メディアドライブ装置１３００は、複数のメディアドライブ１３０１と、管理情報取得部１３０２と、表示部１３０３と、からなる。また、管理情報取得部は、要約情報取得手段１３０４と、著作権管理情報取得手段１３０６と、を有する。また、表示部は、著作権管理情報依存表示手段１３０７を有する。さらに、要約情報取得手段は、サムネイル取得器１３０５を有する。
【００８５】
<構成要件の説明>
以下に、本実施形態の構成要件について説明をする。
（複数のメディアドライブ）、（管理情報取得部）
「複数のメディアドライブ」、「管理情報取得部」は、実施形態３又は４と同様であるので説明を省略する。
【００８６】
（表示部）
「表示部」は、著作権管理情報依存表示手段を有するように構成されている。それ以外の点については、実施形態３又は４と同様であるので説明を省略する。
（著作権管理情報依存表示手段）
「著作権管理情報依存表示手段」は、サムネイルの表示態様を著作権管理情報により異なる態様で表示するように構成されている。ここで「サムネイルの表示態様」には、一例として、サムネイルの外枠の太さ（例えば細線、太線、点線など）、外枠の色（例えば赤、青、黄、緑、黒、白など）外枠の形状（例えば長方形、正方形、三角形、その他の多角形、円、楕円、立体的形状など）、サムネイルの背景色（例えば赤、青、黄、緑、黒、白など）などが挙げられる。ここでサムネイルの表示態様を著作権管理情報により異なる態様で表示する方法には、一例として、サムネイルの表示態様と著作権管理情報との対応関係を示すテーブル一覧を利用する方法が考えられる。この場合には、テーブル一覧にアクセスして、著作権管理情報に対応するサムネイルの表示態様を取得することにより、サムネイルの表示態様を著作権管理情報により異なる態様で表示することが可能となる。
【００８７】
図２５は、サムネイルの表示態様を著作権管理情報により異なる態様で表示することを説明するための一例を示す図である。図２５には、ディスプレイ画面２５０１にメディア：ＤＶＤ（２５０２）のサムネイル４、５、６、７、８とメディア：ＢＤ（２５０３）のサムネイル１１、１２、１３、１４、１５、１６がドライブ別に表示されている。ここでメディア：ＢＤのサムネイル１４は、サムネイルの表示態様が、著作権管理情報（例えば著作権者Ａであることを示す）により、外形太枠の角の取れた四角形で表示されている。
【００８８】
<処理の流れ>
本実施形態の処理の流れについては、実施形態３又は４と同様であるので説明を省略する。
【００８９】
（実施例６）
以下に、本実施形態の実施例６について説明する。
【００９０】
<具体的機能ブロック図>
図１４は、本実施例の具体的機能ブロックの一例を示す図である。
まず、管理情報取得部１４０２は、メディアドライブ１（１４０１）、メディアドライブ２（１４０７）のそれぞれからコンテンツの管理約情報１、２を取得する。
次に、要約情報取得手段１４０４は、管理情報としてコンテンツの要約情報を取得する。
次に、サムネイル取得器１４０５は、要約情報としてコンテンツのサムネイル１、２を取得する。
次に、著作権管理情報取得手段１４０６は、管理情報としてコンテンツの著作権管理情報（著作権者１、著作権者２）を取得する
次に、表示部１４０３は、取得したコンテンツのサムネイル１、２（サムネイルＡ（外枠を<赤>で表示）、サムネイルＢ（外枠を<赤>で表示）、サムネイルＣ（外枠を<青>で表示）、サムネイルＤ（外枠を<青>で表示））、著作権管理情報（著作権者１、著作権者２）を同時に表示する。
【００９１】
<ハードウェア構成図>
図２３は、本実施例のハードウェア構成の一例を示す概略図である。この図を利用してコンテンツの管理情報の表示部への表示処理におけるそれぞれのハードウェア構成部の働きについて説明する。この図にあるように、メディアドライブ装置２３００は、複数のメディアドライブである「メディアドライブ１」（２３０１）、「メディアドライブ２」（２３０８）を備えている。また、メディアドライブ装置は、管理情報取得部２３０２である「ＣＰＵ（中央処理装置）」（２３０９）と、「主メモリ」（２３１０）と、「記憶装置」（２１１１）と、「内蔵時計」（２３１２）と、「ストリーム管理手段」（２３１３）と、「管理情報生成・再生手段」（２３１４）と、「映像デコード器」（２３１５）と、「リスト一覧生成手段」（２３１６）と、「要約情報取得手段」（２３０４）と、「サムネイル取得器」（２３０５）と、「著作権管理情報取得手段」（２３０６）と、を備えている。また、メディアドライブ装置は、表示部２３０３である「映像表示処理手段」（２３１７）と、「著作権管理情報依存表示手段」（２３０７）と、「ディスプレイ」とも備えている。そして、それらが「システムバス」（２３１８）などのデータ通信経路によって相互に接続され、情報の送受信や処理を行う。
【００９２】
表示部の著作権管理情報依存表示手段は、サムネイル１、２の表示態様を著作権管理情報により異なる態様で同時に表示する。それ以外の点は、実施例３又は４のハードウェア構成と同様であるので説明を省略する。以上が各ハードウェア構成の機能である。なお、管理情報生成・再生手段、映像デコード器、リスト一覧生成手段と、映像表示処理手段、要約情報取得手段、サムネイル取得器、著作権管理情報取得手段、著作権管理情報依存表示手段はソフトウェアによって構成されていてもよい。
【００９３】
以下に、メディアドライブ１、２からそれぞれ取得したサムネイル１、２及び著作権管理情報（著作権者１、２）をディスプレイに同時に表示する場合について説明する。まずＣＰＵからの管理情報取得命令により、記憶装置に記憶されている管理情報取得用のプログラムが主メモリのワーク領域に展開され、ストリーム管理手段にメディアドライブ１、２からコンテンツ情報を取得するように起動がかけられる。起動がかけられたストリーム管理手段は、メディアドライブ１、２からそれぞれコンテンツ情報１、２を取得し、記憶装置に書き込む。次に、ＣＰＵからの管理情報生成命令により、管理情報生成・再生手段は、上記コンテンツ情報１、２を映像デコード器でデコードして、管理情報を生成する。要約情報取得手段のサムネイル取得器は、管理情報としてサムネイル１、２（例えばサムネイルＡ、サムネイルＢなど）を取得するとともに、著作権管理情報取得手段は、管理情報に基づいて、コンテンツの著作権管理情報を取得し、記憶装置に書き戻すとともに、上記のように一時的に主メモリなどに格納する。次にリスト一覧生成手段は、主メモリのデータ領域に格納されているサムネイル１、２及び著作権管理情報（著作権者１、２）に基づいてサムネイル１、２及び著作権管理情報（著作権者１、２）のリスト一覧を生成し、保持する。保持されたリスト一覧は、映像表示処理手段に出力される。映像表示処理手段は、リスト一覧をディスプレイに出力する。ディスプレイの著作権管理情報依存表示手段は、サムネイル１、２の表示態様を著作権管理情報（著作権者１、２）により異なる態様で同時にリスト一覧表示する。
【００９４】
<実施形態６の効果の簡単な説明>
本実施形態のメディアドライブ装置によれば、サムネイルの表示態様を著作権管理情報により異なる態様で表示することができる。
【００９５】
<<実施形態７>>
以下に、実施形態７について説明する。
<実施形態７の概念>
以下に本実施形態の概念について説明する。本実施形態のメディアドライブ装置は、表示部に表示の要約情報のグラフィック操作をするためのグラフィック操作部と、グラフィック操作部での操作に応じてコンテンツに対する制御をするための制御部と、を有する実施形態２から６のいずれか一に記載のメディアドライブ装置に関する。
【００９６】
<構成要件の明示>
以下に、本実施形態の構成要件を明示する。
図１５は、本実施形態の機能ブロックの一例を示す図である。メディアドライブ装置１５００は、複数のメディアドライブ１５０１と、管理情報取得部１５０２と、表示部１５０３と、グラフィック操作部１５０５と、制御部１５０６と、からなる。また、管理情報取得部は、要約情報取得手段１５０４を有する。また、管理情報取得部は、著作権管理情報取得手段を有する構成であってもよい。また、表示部は、著作権管理情報依存表示手段を有する構成であってもよい。さらに、要約情報取得手段は、サムネイル取得器を有する構成であってもよい。
【００９７】
<構成要件の説明>
以下に、本実施形態の構成要件について説明をする。
（複数のメディアドライブ）、（管理情報取得部）、（表示部）
「複数のメディアドライブ」、「管理情報取得部」、「表示部」は、実施形態２から６のいずれか一と同様であるので説明を省略する。
【００９８】
（グラフィック操作部）
「グラフィック操作部」は、表示部に表示の要約情報のグラフィック操作をするように構成されている。ここで「グラフィック操作」とは、表示部にグラフィック表示されているメディアドライブの要約情報を操作することをいう。グラフィック操作には、一例として、コピー操作、削除操作、移動操作、通常再生操作、特殊再生操作（例えば早送り操作、スロー再生操作など）、再生停止操作、アーカイブ操作（例えば圧縮・解凍操作など）、外部送受信操作、要約情報の結合・分離のための結合分離操作などが挙げられる。グラフィック操作部による操作情報は、表示部、制御部に出力されるなどして利用される。
【００９９】
図２６は、表示部に表示の要約情報のグラフィック操作をする一例を示すための図である。図２６には、ディスプレイ画面２６０１にメディア：ＤＶＤ（２６０２）のサムネイル４、５、６、７、８とメディア：ＢＤ（２６０３）のサムネイル１１、１２、１３、１４、１５、１６がドライブ別に表示されている。ここでメディア：ＢＤのサムネイル１５をメディア：ＤＶＤにコピーする場合には、ディスプレイ画面上のサムネイル１５をグラフィック操作して（例えばマウスによるコピー&貼り付け操作など）、サムネイル１５をメディア：ＤＶＤにコピーする。
【０１００】
（制御部）
「制御部」は、グラフィック操作部での操作に応じてコンテンツに対する制御をするように構成されている。制御部による制御情報は、複数のメディアドライブに出力されるなどして利用される。
【０１０１】
なお、制御部は、コピーのためのコピー手段、削除のための削除手段、移動のための移動手段、通常再生のための通常再生手段、特殊再生のための特殊再生手段、再生停止のための再生停止手段、アーカイブのためのアーカイブ手段、外部送受信のための外部送受信手段、結合分離のための結合分離手段、メディア排出のためのメディア排出手段、メディア挿入のためのメディア挿入手段、著作権情報付加のための著作権情報付加手段を有する構成であってもよい。
【０１０２】
（メディアドライブ装置全体の具体例）
以下に、メディアドライブ装置全体の具体例について説明する。
図２７は、本実施形態のメディアドライブ装置の構成の一例を示す概略図である。メディアドライブ装置は、ＤＶＤドライブ（２７０１）と、ＢＤドライブ（２７０２）と、ストリーム管理手段（２７０３）と、ＤＶＤサムネイル格納部（２７０４）と、ＢＤサムネイル格納部（２７０５）と、サムネイル生成・再生手段（２７０６）と、映像デコード器（２７０７）と、リスト一覧生成手段（２７０８）と、映像表示処理手段（２７０９）と、表示部（２７１０）と、グラフィック操作部（２７１１）と、制御部（２７１２）と、を有する。
【０１０３】
図２８は、上記構成のメディアドライブ装置のフローチャートの一例を示す図である。
まず、ユーザがグラフィック操作部からリスト表示操作をし、サムネイル生成の指示をする（ステップＳ２８０１、Ｓ２８０２）。次に、グラフィック操作部は制御部を起動し、ＤＶＤドライブ、ＢＤドライブに制御命令を指示する。ストリーム管理手段は、コンテンツの管理情報（制御命令を含む）を取得し、サムネイル生成・再生手段に出力する。映像デコード器は、コンテンツの管理情報（制御命令を含む）をデコードする。デコードの結果、ＤＶＤディスクの有無を判断し、「有」であればステップＳ２８０４に進み、「無」であれば、ステップＳ２８１３に進む（ステップＳ２８０３）。次に、ＤＶＤディスクが「有」の場合、ＤＶＤコンテンツの有無を判断し、「有」であればステップＳ２８０５に進み、「無」であれば、ステップＳ２８１３に進む（ステップＳ２８０４）。次に、ＤＶＤディスクが「有」で、ＤＶＤコンテンツ「有」の場合、サムネイル生成・再生手段はＤＶＤサムネイル画像を生成し、ＤＶＤサムネイル格納部に格納する（ステップＳ２８０５）。同様に、デコードの結果、ＢＤディスクの有無を判断し、「有」であればステップＳ２８０７に進み、「無」であれば、ステップＳ２８１３に進む（ステップＳ２８０６）。次に、ＢＤディスクが「有」の場合、ＢＤコンテンツの有無を判断し、「有」であればステップＳ２８０８に進み、「無」であれば、ステップＳ２８１３に進む（ステップＳ２８０７）。次に、ＢＤディスクが「有」で、ＢＤコンテンツ「有」の場合、サムネイル生成・再生手段はＢＤサムネイル画像を生成し、ＢＤサムネイル格納部に格納する（ステップＳ２８０８）。次に、サムネイル生成・再生手段は、ＤＶＤサムネイル格納部又はＢＤサムネイル格納部に格納されているサムネイルを再生し、コンテンツがＨＤ（ハイビジョン）であるかの識別をする（ステップＳ２８０９、Ｓ２８１０）。次に、リスト一覧生成手段は、リスト一覧を生成し、映像表示処理手段は、サムネイル表示処理をする（ステップＳ２８１１）。次に、表示部は、サムネイルのリスト一覧を表示する（ステップＳ２８１２）。ステップＳ２８０３、Ｓ２８０４、Ｓ２８０６、Ｓ２８０７での判断結果が「無」の場合、リスト無表示をする（ステップＳ２８１３）。
【０１０４】
<処理の流れ>
以下に、本実施形態の処理の流れについて説明する。
図１６は、本実施形態の処理の流れの一例を示す図である。
まず、本実施形態のメディアドライブ装置において、管理情報取得ステップは、メディアドライブのそれぞれからコンテンツの管理情報を取得する（ステップＳ１６０１）。
次に、本実施形態のメディアドライブ装置において、要約情報取得ステップは、管理情報としてコンテンツの要約情報を取得する（ステップＳ１６０２）。
次に、本実施形態のメディアドライブ装置において、表示ステップは、取得した要約情報を同時に表示する（ステップＳ１６０３）。
次に、本実施形態のメディアドライブ装置において、グラフィック操作ステップは、表示ステップに表示の要約情報のグラフィック操作をする（ステップＳ１６０４）。
次に、本実施形態のメディアドライブ装置において、制御ステップは、グラフィック操作ステップでの操作に応じてコンテンツに対する制御をする（ステップＳ１６０５）。
【０１０５】
（実施例７）
以下に、本実施形態の実施例７について説明する。
【０１０６】
<具体的機能ブロック図>
図１７は、本実施例の具体的機能ブロックの一例を示す図である。
まず、管理情報取得部１７０２は、メディアドライブ１（１７０１）、メディアドライブ２（１７０５）のそれぞれからコンテンツの管理約情報１、２を取得する。
次に、要約情報取得手段１７０４は、管理情報としてコンテンツの要約情報１、２を取得する。
次に、表示部１７０３は、取得したコンテンツの要約情報１、２（タイトル１：あらすじ１、タイトル２：あらすじ２、タイトル３：あらすじ３、タイトル４：あらすじ４、タイトル５：あらすじ５、タイトル６：あらすじ６）を同時に表示する。
次に、グラフィック操作部は、表示部に表示の要約情報のグラフィック操作（メディアドライブ１のタイトル１：あらすじ１をメディアドライブ２にコピーする）をする。
次に、制御部は、グラフィック操作部での操作に応じてコンテンツに対する制御をする（メディアドライブ１のタイトル１：あらすじ１をメディアドライブ２にコピーする）。
【０１０７】
<ハードウェア構成図>
図２４は、本実施例のハードウェア構成の一例を示す概略図である。この図を利用してコンテンツの管理情報の表示部への表示処理におけるそれぞれのハードウェア構成部の働きについて説明する。この図にあるように、メディアドライブ装置２４００は、複数のメディアドライブである「メディアドライブ１」（２４０１）、「メディアドライブ２」（２４０７）を備えている。また、メディアドライブ装置は、管理情報取得部２４０２である「ＣＰＵ（中央処理装置）」（２４０８）と、「主メモリ」（２４０９）と、「記憶装置」（２４１０）と、「内蔵時計」（２４１１）と、「ストリーム管理手段」（２４１２）と、「管理情報生成・再生手段」（２４１３）と、「映像デコード器」（２４１４）と、「リスト一覧生成手段」（２４１５）と、「要約情報取得手段」（２４０４）と、を備えている。また、メディアドライブ装置は、表示部２４０３である「映像表示処理手段」（２４１６）と、「ディスプレイ」とも備えている。また、メディアドライブ装置は、グラフィック操作部２４０５と、制御部２４０６と、を備えている。そして、それらが「システムバス」（２４１７）などのデータ通信経路によって相互に接続され、情報の送受信や処理を行う。
【０１０８】
グラフィック操作部は、表示部に表示の要約情報１、２のグラフィック操作をする。制御部は、グラフィック操作部での操作に応じてコンテンツに対する制御をする。それ以外の点は、実施例２から６のいずれか一のハードウェア構成と同様であるので説明を省略する。以上が各ハードウェア構成の機能である。なお、管理情報生成・再生手段、映像デコード器、リスト一覧生成手段と、映像表示処理手段、要約情報取得手段はソフトウェアによって構成されていてもよい。
【０１０９】
以下に、ディスプレイに同時に表示されたメディアドライブ１、２の要約情報１、２のグラフィック操作をする場合について説明する。まずＣＰＵからの管理情報取得命令により、記憶装置に記憶されている管理情報取得用のプログラムが主メモリのワーク領域に展開され、ストリーム管理手段にメディアドライブ１、２からコンテンツ情報を取得するように起動がかけられる。起動がかけられたストリーム管理手段は、メディアドライブ１、２からそれぞれコンテンツ情報１、２を取得し、記憶装置に書き込む。次に、ＣＰＵからの管理情報生成命令により、管理情報生成・再生手段は、上記コンテンツ情報１、２を映像デコード器でデコードして、管理情報を生成する。要約情報取得手段は、管理情報として要約情報１、２（例えばタイトル１：あらすじ１、タイトル２：あらすじ２など）を取得し、記憶装置に書き戻すとともに、上記のように一時的に主メモリなどに格納する。次にリスト一覧生成手段は、主メモリのデータ領域に格納されている要約情報１、２に基づいて要約情報１、２のリスト一覧を生成し、保持する。保持されたリスト一覧は、映像表示処理手段に出力される。映像表示処理手段は、リスト一覧をディスプレイに出力する。ディスプレイは、要約情報１、２のリスト一覧を表示する。グラフィック操作部は、表示部に表示の要約情報１、２のグラフィック操作をする。制御部は、グラフィック操作部での操作に応じてコンテンツに対する制御をする。
【０１１０】
<実施形態７の効果の簡単な説明>
本実施形態のメディアドライブ装置によれば、表示部に表示された要約情報のグラフィック操作をすることができる。
【産業上の利用可能性】
【０１１１】
本発明は、複数のメディアドライブのそれぞれからコンテンツの管理情報（要約情報、サムネイル情報、著作権情報などを含む）を取得し、その管理情報を同時に表示することができるメディアドライブ装置に利用可能である。
【図面の簡単な説明】
【０１１２】
【図１】実施形態１の機能ブロック図
【図２】実施形態１の処理の流れ図
【図３】実施形態１の具体的機能ブロック図
【図４】実施形態２の機能ブロック図
【図５】実施形態２の処理の流れ図
【図６】実施形態２の具体的機能ブロック図
【図７】実施形態３の機能ブロック図
【図８】実施形態３の具体的機能ブロック図
【図９】実施形態４の機能ブロック図
【図１０】実施形態４の具体的機能ブロック図
【図１１】実施形態５の機能ブロック図
【図１２】実施形態５の具体的機能ブロック図
【図１３】実施形態６の機能ブロック図
【図１４】実施形態６の具体的機能ブロック図
【図１５】実施形態７の機能ブロック図
【図１６】実施形態７の処理の流れ図
【図１７】実施形態７の具体的機能ブロック図
【図１８】実施例１のハードウェア構成図
【図１９】実施例２のハードウェア構成図
【図２０】実施例３のハードウェア構成図
【図２１】実施例４のハードウェア構成図
【図２２】実施例５のハードウェア構成図
【図２３】実施例６のハードウェア構成図
【図２４】実施例７のハードウェア構成図
【図２５】実施形態６のサムネイルの表示態様を説明するための図
【図２６】実施形態７のサムネイルのグラフィック操作を説明するための図
【図２７】実施形態７のメディアドライブ装置の構成を説明するための図
【図２８】実施形態７のメディアドライブ装置の構成の動作のフローチャートを説明するための図
【図２９】実施形態１の管理情報の表示態様を説明するための図
【図３０】実施形態４の著作権管理情報の表示態様を説明するための図
【図３１】実施形態５のドライブ別表示を説明するための図
【符号の説明】
【０１１３】
０１００  メディアドライブ装置
０１０１  複数のメディアドライブ
０１０２  管理情報取得部
０１０３  表示部
【図１】
2007058985.tif 000003
【図２】
2007058985.tif 000004
【図３】
2007058985.tif 000005
【図４】
2007058985.tif 000006
【図５】
2007058985.tif 000007
【図６】
2007058985.tif 000008
【図７】
2007058985.tif 000009
【図８】
2007058985.tif 000010
【図９】
2007058985.tif 000011
【図１０】
2007058985.tif 000012
【図１１】
2007058985.tif 000013
【図１２】
2007058985.tif 000014
【図１３】
2007058985.tif 000015
【図１４】
2007058985.tif 000016
【図１５】
2007058985.tif 000017
【図１６】
2007058985.tif 000018
【図１７】
2007058985.tif 000019
【図１８】
2007058985.tif 000020
【図１９】
2007058985.tif 000021
【図２０】
2007058985.tif 000022
【図２１】
2007058985.tif 000023
【図２２】
2007058985.tif 000024
【図２３】
2007058985.tif 000025
【図２４】
2007058985.tif 000026
【図２５】
2007058985.tif 000027
【図２６】
2007058985.tif 000028
【図２７】
2007058985.tif 000029
【図２８】
2007058985.tif 000030
【図２９】
2007058985.tif 000031
【図３０】
2007058985.tif 000032
【図３１】
2007058985.tif 000033